(57)【要約】【課題】音声認識部および音声合成部の電源のオン・オフを自動で行い、無駄な電力消費を抑えると共に、手を使うことなく安全に操作することができるハンズフリーシステムを提供することにある。【解決手段】本発明に関わるハンズフリーシステムは、携帯電話機１の音声認識部１０および音声合成部１１用の専用電源として、音声認識合成部電源１２を設ける。携帯電話機１の入力待受け中は音声認識合成部電源１２をオフにしておく。次に、電話着信時は、電話着信が到来すると、以後、音声認識合成部電源１２をオンにして、音声操作、いわゆるハンズフリー動作を行う。又、電話発信時は、使用者がハンズフリー装置２１の制御スイッチ２４をオンにすることにより、以後、携帯電話機１の音声認識合成部電源１２をオンにして、音声操作、いわゆるハンズフリー動作を行う。【選択図】  図１
2004289710.tif 000002
【特許請求の範囲】
【請求項１】
ハンズフリー装置と携帯電話機とがローカル通信手段により接続されているハンズフリーシステムであって、
前記ハンズフリー装置は少なくとも、
音声入力手段と、音声出力手段と、前記携帯電話機との間で音声信号の送受信を行う第１のローカル通信部とを備え、
前記携帯電話機は少なくとも、
音声入出力手段と、制御手段と、前記ハンズフリー装置の前記第１ローカル通信手段との間で音声信号の送受信を行う第２のローカル通信部と、前記ハンズフリー装置の前記音声入力手段から入力された前記音声信号の認識を行う音声認識部と、前記ハンズフリー装置の前記音声出力手段からガイダンスを音声出力するために前記制御手段によって作成されたテキストデータから音声信号を合成する音声合成部と、前記制御手段が携帯電話網から着信信号が到来したことを検出した時、前記音声認識部および前記音声合成部の電源をオン状態に設定する電源部とを備え、
前記携帯電話機の前記音声入出力手段の代わりに、前記ハンズフリー装置の前記音声入力手段および前記音声出力手段を用いて、ハンズフリーによる通話が行えるようにしたことを特徴とするハンズフリーシステム。
【請求項２】
前記電源部は、前記携帯電話機が入力待機状態の時には前記音声認識部および前記音声合成部の電源をオフに設定することを特徴とする請求項１記載のハンズフリーシステム。
【請求項３】
前記携帯電話機の前記制御手段は、
携帯電話網から着信した相手の電話番号が電話帳テーブルに登録されている場合、前記電話帳テーブルから得られる氏名を前記音声合成部に送出し、前記音声合成部から得られる音声信号を前記ハンズフリー装置に送出する手段と、前記音声信号によって出力されたガイダンスに対する音声の応答を前記ハンズフリー装置の前記音声入力手段から音声信号として受信した時、前記音声認識部から得られた当該音声信号の認識結果に基づき前記携帯電話機と前記携帯電話網の通話チャネルを設定することを特徴とする請求項１記載のハンズフリーシステム。
【請求項４】
ハンズフリー装置と携帯電話機とがローカル通信手段により接続されているハンズフリーシステムであって、
前記ハンズフリー装置は少なくとも、
音声入力手段と、音声出力手段と、前記携帯電話機との間で音声信号の送受信を行う第１のローカル通信部と、発信スイッチ手段とを備え、
前記携帯電話機は少なくとも、
音声入出力手段と、制御手段と、前記ハンズフリー装置の前記第１ローカル通信手段との間で音声信号の送受信を行う第２のローカル通信部と、前記ハンズフリー装置の前記音声入力手段から入力された前記音声信号の認識を行う音声認識部と、前記ハンズフリー装置の前記音声出力手段からガイダンスを音声出力するために前記制御手段によって作成されたテキストデータから音声信号を合成する音声合成部と、前記制御手段が前記ハンズフリー装置の前記発信スイッチ手段の設定状態を通話要求として受信した時、前記音声認識部および前記音声合成部の電源をオン状態に設定する電源部とを備え、
前記携帯電話機の前記音声入出力手段の代わりに、前記ハンズフリー装置の前記音声入力手段および前記音声出力手段を用いて、ハンズフリーによる通話が行えるようにしたことを特徴とするハンズフリーシステム。
【請求項５】
前記携帯電話機の前記制御手段は、前記通話要求に応答して通話のガイダンスを示すテキストデータを自動作成して前記音声合成部に送出し、前記音声合成部から得られる音声信号を前記ハンズフリー装置に送出することにより、
前記ハンズフリー装置の前記音声出力手段から前記通話のガイダンスが音声出力されることを特徴とする請求項４記載のハンズフリーシステム。
【請求項６】
音声入力手段と、音声出力手段と、制御手段と、前記音声入力手段から入力された前記音声信号の認識を行う音声認識部と、前記音声出力手段からガイダンスを音声出力するために前記制御手段によって作成されたテキストデータから音声信号を合成する音声合成部と、前記制御手段が携帯電話網から着信信号が到来したことを検出した時、前記音声認識部および前記音声合成部の電源をオン状態に設定する電源部とを備え、
前記音声入力手段および前記音声出力手段を用いて、ハンズフリーによる通話が行えるようにしたことを特徴とする携帯電話機。
【請求項７】
前記電源部は、前記携帯電話機が入力待機状態の時には前記音声認識部および前記音声合成部の電源をオフに設定することを特徴とする請求項６記載の携帯電話機。
【請求項８】
前記携帯電話網から着信した相手の電話番号が電話帳テーブルに登録されている場合、前記電話帳テーブルから得られる氏名を前記音声合成部に送出し、前記音声合成部から得られる音声信号を前記音声出力手段に送出し、前記音声出力手段から前記氏名を含むガイダンスが音声出力され、
前記ガイダンスに対する音声の応答を前記音声入力手段から音声信号として得て前記音声認識部に送出し、前記音声認識部から得られた当該音声信号の認識結果に基づき前記携帯電話機と前記携帯電話網の通話チャネルが設定される
ことを特徴とする請求項６記載の携帯電話機。
【発明の詳細な説明】
【０００１】
【発明の属する技術分野】
本発明は、ハンズフリーシステムおよび携帯電話機に関するもので、詳しくは、キーによる入力操作の替わりに、音声による入力操作を行うハンズフリーシステムおよび携帯電話機に関する。
【０００２】
【従来の技術】
従来の携帯電話機のハンズフリーシステムとして、キーボードからの入力操作の替わりに、音声認識を利用して入力操作を行うハンズフリーシステムがある（例えば、特許文献１参照。）。
【０００３】
このハンズフリーシステムにあっては、まず、電源の種類として、携帯電話機の内部電源と、外部電源のいずれかを選択することができるようになっている。その上で、内部電源を使用する場合には、電力消費を低減するために、音声認識処理を行う音声認識プロセッサの電源のオン・オフを、使用者がキーボード操作等のマニュアル操作によって行っている。即ち、音声認識プロセッサを起動するために、使用者は、キーボード等のマニュアル操作によって音声認識プロセッサの電源をオンにして、音声認識プロセッサを動作状態にする。その後は、使用者は、音声入力すると音声認識プロセッサの動作により、携帯電話機の各種操作を実行する構成となっている。
【０００４】
【特許文献１】
特開２００１−３０８９７０号公報（第２頁、図１）
【０００５】
【発明が解決しようとする課題】
上述した従来のハンズフリーシステムを、例えば、両手がふさがった状態で仕事をしているような場合には使用できない問題がある。また、音声入力を行っていない時であっても、使用者の周囲の音により頻繁に音声認識処理が行われ、これにより携帯電話機は無駄な電力を消費してしまうという問題が生じる。
【０００６】
従って、本発明は上記の問題点を解決するためになされたもので、音声認識部等の電源のオン・オフを全て自動で行い、無駄な電力消費を抑えると共に、使用者が仕事中であっても、手を使うことなく安全に操作することができるハンズフリーシステムおよび携帯電話機を提供することを目的とする。
【０００７】
【課題を解決するための手段】
上記目的を達成するために、本発明のハンズフリーシステムは、ハンズフリー装置と携帯電話機とがローカル通信手段により接続されているハンズフリーシステムであって、
前記ハンズフリー装置は少なくとも、音声入力手段と、音声出力手段と、前記携帯電話機との間で音声信号の送受信を行う第１のローカル通信部とを備え、前記携帯電話機は少なくとも、音声入出力手段と、制御手段と、前記ハンズフリー装置の前記第１ローカル通信手段との間で音声信号の送受信を行う第２のローカル通信部と、前記ハンズフリー装置の前記音声入力手段から入力された前記音声信号の認識を行う音声認識部と、前記ハンズフリー装置の前記音声出力手段からガイダンスを音声出力するために前記制御手段によって作成されたテキストデータから音声信号を合成する音声合成部と、前記制御手段が携帯電話網から着信信号が到来したことを検出した時、前記音声認識部および前記音声合成部の電源をオン状態に設定する電源部とを備え、前記携帯電話機の前記音声入出力手段の代わりに、前記ハンズフリー装置の前記音声入力手段および前記音声出力手段を用いて、ハンズフリーによる通話が行えるようにしたことを特徴とする。
【０００８】
また、本発明の携帯電話機は、音声入力手段と、音声出力手段と、制御手段と、前記音声入力手段から入力された前記音声信号の認識を行う音声認識部と、前記音声出力手段からガイダンスを音声出力するために前記制御手段によって作成されたテキストデータから音声信号を合成する音声合成部と、前記制御手段が携帯電話網から着信信号が到来したことを検出した時、前記音声認識部および前記音声合成部の電源をオン状態に設定する電源部とを備え、前記携帯電話機の前記音声入力手段および前記音声出力手段を用いて、ハンズフリーによる通話が行えるようにしたことを特徴とする。
【０００９】
【発明の実施の形態】
以下、本発明の実施の形態を図面を参照して説明する。
【００１０】
図１〜図５は、本発明の第１の実施の形態のハンズフリーシステムを示し、図１は携帯電話機およびハンズフリー装置から構成されるハンズフリーシステムのブロック図、図２はハンズフリーシステムの着信時のシーケンス、図３はハンズフリーシステムの発信時のシーケンス、図４は携帯電話機のフローチャート、図５はハンズフリー装置のフローチャートである。図６および図７は本発明の第２の実施の形態を示し、図６は携帯電話機のブロック図、図７は携帯電話機のフローチャートである。
【００１１】
図１に示すように、本発明を適用した携帯電話機１の主要部は、マイク２、スピーカ３、キー入力部４、音声コーデック５、中央処理装置６、ローカル通信部７、アンテナ８、通信部９、音声認識部１０、音声合成部１１、音声認識合成部電源１２、ＬＣＤ１３等で構成している。
【００１２】
マイク２およびスピーカ３は、通話のための入出力手段であると共に、携帯電話機１の音声操作用の入出力手段でもある。キー入力部４は、携帯電話機１の手動操作用の入力手段である。音声コーデック５は、入出力される音声信号の符号化および復号化を行う。中央処理装置６は、一般的なＣＰＵ、メモリ等から構成され、携帯電話機１の全体の制御を行う。ローカル通信部７は、ハンズフリー装置２１との間で短距離無線通信を行うＢｌｕｅｔｏｏｔｈ（ＴＭ）通信の無線部である。アンテナ８は、携帯電話網（図示せず）との間で電波の送受信を行う。通信部９は、アンテナ８によって送受信される信号の変調および復調処理等を行うものである。
【００１３】
音声認識部１０は、携帯電話機１に対する操作内容として、使用者によって発せられた操作内容の音声をマイク２等を介して音声信号として受信し、その音声信号の認識を行い、その認識情報を中央処理装置６に通知するものである。音声合成部１１は、携帯電話機１の使用者に対する操作内容を音声合成して作成し、その音声信号をスピーカ３より出力し、使用者に音声で伝達する。
【００１４】
この音声認識部１０と音声合成部１１の電源部は、携帯電話機１内の他のブロックの電源部とは別系統の音声認識合成部電源１２を有し、音声認識合成部電源１２から電源ライン１４により、音声認識部１０と音声合成部１１へ電力を供給している。この音声認識合成部電源１２のオンオフ制御は、中央処理装置６からの電源制御信号１５によって行われる。
【００１５】
一方、本発明を適用したハンズフリー装置２１の主要部は、マイク２２、スピーカ２３、制御スイッチ２４、音声コーデック２５、中央処理装置２６、ローカル通信部２７等で構成している。
【００１６】
マイク２２およびスピーカ２３は、通話のための入出力手段であると共に、音声操作用の入出力手段でもある。制御スイッチ２４は、携帯電話機１の発信操作用の手動入力手段である。音声コーデック２５は、入出力される音声信号の符号化および復号化を行う。中央処理装置２６は、一般的なＣＰＵ、メモリ等から構成され、ハンズフリー装置２１の全体の制御を行う。ローカル通信部２７は、携帯電話機１との間で短距離無線通信を行うＢｌｕｅｔｏｏｔｈ（ＴＭ）通信の無線部である。
【００１７】
（第１の実施の形態）
次に、本発明によるハンズフリーシステムの第１の実施の形態について、図１〜図５を用いて説明する。
【００１８】
まず、本発明のハンズフリーシステムを利用する時、携帯電話機１のマイク２、スピーカ３を使用せずに、所定の位置に予め備え付けられているハンズフリー装置２１のマイク２２、スピーカ２３を使用して音声の入出力を行う。
【００１９】
また、携帯電話機１には、ハンズフリー常時起動モードとハンズフリー受信時自動起動モードの２つのモードが設けられている。
【００２０】
ハンズフリー常時起動モードは、ハンズフリー動作が常時オンとなるモードである。ハンズフリー受信時自動起動モードは、携帯電話機１が電話着信の待受け中は、ハンズフリー動作がオフで、電話着信があるとハンズフリー動作がオンとなるモードである。
【００２１】
上記のように構成されたハンズフリーシステムにおいて、使用者は、予め、携帯電話機１のキー入力部４を操作して、ハンズフリー常時起動モード、又は、ハンズフリー受信時自動起動モードのいずれかに設定する。
【００２２】
まず、本発明のハンズフリー受信時自動起動モードにおける電話着信時の動作について、図１、図２、図４および図５を用いて説明する。
【００２３】
ハンズフリー受信時自動起動モードにおいて、携帯電話機１の中央処理装置６は通常の入力待受け状態にある（図４のステップＳ１）。この時、音声認識合成部電源１２はオフされており、音声による携帯電話機の操作は行えない。
【００２４】
このステップＳ１の状態にある時、携帯電話網から電話が掛かって来ると、携帯電話機１では、着信信号がアンテナ８に到来し、通信部９で復調等の処理が行われて、中央処理装置６へ着信信号が送出される。中央処理装置６は、着信信号を検出すると、着信動作（図４のステップＳ１０）に入る。
【００２５】
まず、中央処理装置６は、ローカル通信部７を経由して、ハンズフリー装置２１へローカル通信要求（図２のａ１）を送信する。ハンズフリー装置２１の中央処理装置２６は、ローカル通信部２７を介してローカル通信要求ａ１を受信すると、ローカル通信応答（図２のａ２）を逆の経路を辿り携帯電話機１に送信する。
【００２６】
即ち、ハンズフリー装置２１の中央処理装置２６は、入力待機状態（図５のステップＳ４１）にある。中央処理装置２６は、ローカル通信部２７を介してローカル通信要求ａ１の受信を検出すると着信動作（図５のステップＳ５０）に入る。そして、ローカル通信応答ａ２をローカル通信部２７経由で携帯電話機１へ送信することにより、ローカル通信の確立を行う（図５のステップＳ５１）。
【００２７】
携帯電話機１の中央処理装置６もローカル通信応答ａ２を受信すると、ハンズフリー装置２１との間のローカル通信の確立を行う（図４のステップＳ１１）。又、携帯電話機１の中央処理装置６は、電源制御信号１５を音声認識合成部電源１２に出力して、音声認識合成部電源１２をオン（図４のステップＳ１２）にする。これにより、携帯電話機１とハンズフリー装置２１との間は音声によるマンマシンインターフェースが使用できる状態、つまりハンズフリー状態になる。
【００２８】
次に、携帯電話機１の中央処理装置６は、着信した相手電話の番号が通知状態に設定してあり、且つ、内部の電話帳テーブル（図示せず）に登録されていれば、その登録者名（例えば、「Ａさん」）を電話帳から呼出して、登録者名「Ａさん」をＬＣＤ１３に表示する（図４のステップＳ１３）。
【００２９】
又、中央処理装置６は「Ａさんから電話です」というテキストデータを作成し、音声合成部１１に出力する。音声合成部１１は、そのテキストデータから音声信号を発生させる。そして、中央処理装置６はこの音声信号を着信通知（図２のａ３）として、ローカル通信部７を経由して、ハンズフリー装置２１へ送信する（図４のステップＳ１４）。なお、携帯電話機１とハンズフリー装置２１との間のローカル通信のルートは全て同じであるので、以降は省略する。もし、着信した電話の番号が非通知状態であるか、又は電話帳テーブルに登録されていなければ、呼出し音相当の音声信号を作成して、着信通知ａ３としてハンズフリー装置２１に送信する。
【００３０】
一方、ハンズフリー装置２１の中央処理装置２６は、着信通知ａ３を検出すると、この着信通知ａ３を音声コーデック２５へ送出する。そして、音声コーデック２５により音声に復号化され、スピーカ２３により、音声「Ａさんから電話です」が発せられる。又、着信した電話の番号が非通知状態であるか、又は電話帳テーブルに登録されていない場合では、スピーカ２３から呼出し音相当の音声を使用者に対して発する（図５のステップＳ５２）。
【００３１】
使用者は、スピーカ２３から発せられる音声を確認し、それに対し「はい」の音声（着信の接続）を発する。すると、マイク２２、音声コーデック２５を経由して、「はい」の音声が音声信号に符号化されて中央処理装置２６へ送出される。そして、中央処理装置２６は、「はい」の音声信号を通信要求（図２のａ４）として、携帯電話機１へ送信する。
【００３２】
次に、携帯電話機１の中央処理装置６は、通信要求ａ４の「はい」の音声信号を受信すると、その音声信号を音声認識部１０へ送出する。そして、音声認識部１０は、音声「はい」を認識する（図４のステップＳ１５）。この認識結果を受けた中央処理装置６は着信接続と判断して、携帯電話網との間で通話チャネルの設定を行い（図４のステップＳ１６）、その後、通話処理を行う（図４のステップＳ１７）。
【００３３】
通話処理では、使用者と携帯電話機１との間の音声インターフェースは、ハンズフリー装置２１側のマイク２２、スピーカ２３により行われる。即ち、携帯電話機１のマイク２、スピーカ３を使用することなく、携帯電話機１とハンズフリー装置２１を介して使用者と通話相手との間で通話データ（図２のａ５）の送受信が行われる（図５のステップＳ５５）。通話処理における携帯電話機１側では、通信部９およびアンテナ８を介して携帯電話網との間で通話データａ５の送受信が行われる。
【００３４】
通話終了後は、使用者から音声「切断」が入力されたことを音声認識部１０が認識した時に、中央処理装置６によって音声認識合成部電源１２をオフにし（図４のステップＳ１８）、ハンズフリーによる通話処理を終了する（図４のステップＳ１９）。
【００３５】
上述したハンズフリー受信時自動起動モードにおいて、入力待受け時は、音声認識合成部電源１２がオフのため、音声認識部１０と音声合成部１１の電力消費を低減することができる。また、手が離せない仕事をしている場合や、例えば、自動車の運転中などに不意に着信があっても、ハンズフリー動作が自動で起動し、使用者は音声だけのマンマシンインターフェースが確保されることから、自由に通話することが出来る。また、電話番号等を手動操作入力することが無くなることから、例えば、運転中であったとしても運転視野を持続したままで通話することが出来る。
【００３６】
次に、本発明のハンズフリー受信時自動起動モードにおける電話発信時の動作について、図１、図３、図４および図５を用いて説明する。
【００３７】
使用者は、携帯電話機１から電話を掛けたい時には、まず、ハンズフリー装置２１の制御スイッチ２４を手動でオンにする。中央処理装置２６は、入力待機状態（図５のステップＳ４１）において、制御スイッチ２４のオンを検出すると発信動作に入る（図５のステップＳ６０）。そして、ハンズフリー装置２１の中央処理装置２６は、携帯電話機１へローカル通信要求（図３のｂ１）を送信する。
【００３８】
携帯電話機１の中央処理装置６は、入力待機状態（図４のステップＳ１）においてローカル通信要求ｂ１の受信を検出すると発信動作（図４のステップＳ２０）に入る。そして、ローカル通信応答（図３のｂ２）をハンズフリー装置２１に送信して、ローカル通信の確立を行う（図４のステップＳ２１）と共に、音声認識合成部電源１２をオン（図４のステップＳ２２）にする。
【００３９】
ハンズフリー装置２１の中央処理装置２６も、携帯電話機１からローカル通信応答ｂ２を受信するとローカル通信の確立を行う（図５のステップＳ６１）。これにより、携帯電話機１とハンズフリー装置２１との間は音声によるマンマシンインターフェースが使用できる状態、つまりハンズフリー状態になる。
【００４０】
次に、携帯電話機１の中央処理装置６は、「音声入力してください」というテキストデータを自動作成し、音声合成部１１に出力する。音声合成部１１は、そのテキストデータの音声信号を発生させる。そして、中央処理装置６は、この音声信号を音声認識開始通知（図３のｂ３）として、ハンズフリー装置２１へ送信する（図４のステップＳ２３）。
【００４１】
一方、ハンズフリー装置２１の中央処理装置２６は、音声認識開始通知ｂ３の受信を検出すると（図５のステップＳ６２）、この音声認識開始通知ｂ３を音声コーデック２５へ送出する。そして、音声コーデック２５により音声に復号化され、スピーカ２３により、音声「音声入力してください」が使用者に対して発せられる（図５のステップＳ６３）。
【００４２】
使用者は、スピーカ２３から発せられる音声を確認すると、それに対し電話を掛けたい相手の名前（例えば、「Ｂさん」）の音声を発する。これは、携帯電話機１の電話帳テーブルに「Ｂさん」の電話番号が登録されている場合である。もし、登録されていない相手に電話をしたい場合には、相手の電話番号（例えば、「０、１、２・・・」）の音声を発する。すると、マイク２２、音声コーデック２５を経由して入力された音声を音声信号に符号化されて、中央処理装置２６へ送出される。そして、中央処理装置２６は、この音声信号を操作要求データ（図３のｂ４）として、携帯電話機１へ送信する（図５のステップＳ６４）。
【００４３】
携帯電話機１の中央処理装置６は、操作要求データｂ４の「Ｂさん」又は「０、１、２・・・」の音声信号を受信すると、その音声信号を音声認識部１０へ送出する。音声認識部１０は、「Ｂさん」又は「０、１、２・・・」を認識する（図４のステップＳ２４）。この認識結果を受けた中央処理装置６は発信接続と判断して、名前「Ｂさん」と、電話帳テーブルを参照して得られる「Ｂさん」の電話番号をＬＣＤ１４に表示する（図４のステップＳ２５）。電話番号の音声信号の場合は、その認識結果の電話番号「０、１、２・・・」をＬＣＤ１４に表示する。同時に、中央処理装置６は通信部９、アンテナ８を経由して携帯電話網から通信相手に対して発信手順の処理を行う（図４のステップＳ２６）。
【００４４】
また、中央処理装置６は、通信相手を呼出し中であることを知らせるために、発信音データ（図３のｂ５）を作成してハンズフリー装置２１へ送信する（図４のステップＳ２７）。
【００４５】
ハンズフリー装置２１では、この発信音データｂ５を受信して（図５のステップＳ６５）、スピーカ２３から呼出し音を発し、使用者に対して、呼出し中であることを知らせる（図５のステップＳ６６）。
【００４６】
その後、携帯電話網から応答があれば（図４のステップＳ２８）、中央処理装置６は携帯電話網との間で通話チャネルの設定を行う（図４のステップＳ２９）。その後、使用者と通話相手との間の通話データ（図３のｂ６）の処理が行われる（図５のステップＳ６７）。以後の携帯電話機１およびハンズフリー装置２１の通話処理は、前述の電話着信時の通話処理と同じであり、説明を省略する。
【００４７】
上述したハンズフリー受信時自動起動モードにおける発信動作において、発信までの入力待受け時は、音声認識部１０と音声合成部１１の電源がオフのため、電力消費を低減することができる。また、発信時は、制御スイッチ２７をオンするだけで良く、その後はハンズフリー動作が起動し、使用者は音声だけのマンマシンインターフェースが確保されることから、自由に通話することが出来る。また、電話番号等を手動操作入力することが無くなることから、例えば、運転中であったとしても運転視野を持続したままで通話することが出来る。
【００４８】
なお、携帯電話機にスリープモード等の省エネモードを有している場合は、音声認識合成部電源１２もスリープモードに応じてオン・オフ制御を行うことにより、同様の電力消費の低減を行うことができる。
【００４９】
又、携帯電話機１とハンズフリー装置２１とはイヤホンコード等を利用して有線で接続して、データの送受を行っても良い。
【００５０】
ハンズフリーシステムを、例えば自動車の車内で使用する場合には、ハンズフリー装置２１のマイク２２、スピーカ２３は、運転者や搭乗者からの音声が入りやすい位置、即ちマンマシーンインターフェースが行い易い位置に配置されている。
【００５１】
なお、ハンズフリーシステムを構成するハンズフリー装置は、専用装置である必要はなく、カーナビゲーション装置、カーオーディオ装置、ＴＶ装置等で代替してもよい。
【００５２】
（第２の実施の形態）
次に、本発明による携帯電話機の第２の実施の形態について、図６および図７を用いて説明する。
【００５３】
図６に示すように、本発明を適用した携帯電話機３１の主要部は、図１に示す携帯電話機１のローカル通信部７を削除した構成である。又、ハンズフリー装置２１も不要である。図１と同じ構成については、同じ番号を付し、各部の説明を省略する。
【００５４】
この第２の実施の形態においては、携帯電話機単体でハンズフリー動作を行う。したがって、音声の入出力は携帯電話機３１のマイク２、スピーカ３を用いて行われる。
【００５５】
まず、ハンズフリー受信時自動起動モードにおける電話着信時の動作について、説明する。
【００５６】
携帯電話機３１は、通常の入力待受け状態にある（図７のステップＳ７１）。この時、音声認識合成部電源１２はオフされており、音声による携帯電話機の操作は行えない。
【００５７】
このステップＳ７１の状態にある時、携帯電話網から電話が掛かって来ると、着信信号がアンテナ８に到来し、通信部９で復調等の処理が行われて、中央処理装置６へ着信信号が送出される。中央処理装置６は、着信信号を検出すると、着信動作（図７のステップＳ８０）に入る。まず、中央処理装置６は、音声認識合成部電源１２をオン（図７のステップＳ８１）にし、音声によるマンマシンインターフェースが使用できる状態、つまりハンズフリー状態にする。
【００５８】
次に、中央処理装置６は、着信した電話の番号が通知状態に設定してあり、且つ、電話帳テーブルに登録されていれば、その登録者名（例えば、「Ａさん」）を電話帳テーブルから呼出して、「Ａさんから電話です」というテキストデータを自動作成し、音声合成部１１に出力する。音声合成部１１は、そのテキストデータから音声信号を発生させる。そして、中央処理装置６は、この音声信号を音声コーデック５へ出力する。そして、音声コーデック５は音声信号を音声に復号化し、スピーカ３から音声「Ａさんから電話です」が発せられる（図７のステップＳ８２）。もし、着信した相手の電話番号が、非通知状態であったり又は電話帳テーブルに登録されていなければ、スピーカ３から当該電話機に設定されている呼出し音が発せられる。
【００５９】
使用者は、スピーカ３から発せられた音声を確認し、それに対し「はい」と音声（着信の接続）を発する。すると、マイク２、音声コーデック５を経由して、「はい」の音声が音声信号に符号化されて中央処理装置６に送出される。中央処理装置６は、その音声信号を音声認識部１０に送出する。そして、音声認識部１０が音声認識処理を行い、「はい」と認識すると、その認識結果を中央処理装置６に送出する（図７のステップＳ８３）。中央処理装置６は、その認識結果から着信接続と判断して、携帯電話網との間で通話チャネルの設定を行い（図７のステップＳ８４）、その後、通話処理を行う（図７のステップＳ８５）。
【００６０】
通話処理では、中央処理装置６は、マイク２、スピーカ３、音声コーデック５、通信部９およびアンテナ８を制御して、携帯電話網との間で通話データの送受信を行う。これにより、使用者は、携帯電話網側の通話相手と通話を行う。
【００６１】
上述したハンズフリー受信時自動起動モードにおいて、入力待受け時は、音声認識合成部電源１２がオフしているため、音声認識部１０と音声合成部１１の電力消費を低減することができる。
【００６２】
次に、ハンズフリー受信時自動起動モードにおける電話発信時の動作について、説明する。
【００６３】
使用者は、電話を掛けたい時には、まず、キー入力部４の発信ボタン（図示せず）をオンにする。中央処理装置６は、入力待受け中（図７のステップＳ７１）から、発信ボタンのオンを検出すると、発信動作に入る（図７のステップＳ９０）。
【００６４】
発信動作では、中央処理装置６は、音声認識合成部電源１２をオン（図７のステップＳ９１）にし、音声によるマンマシンインターフェースが使用できる状態、つまりハンズフリー状態にする。
【００６５】
次に、中央処理装置６は、「音声入力してください」というテキストデータを自動作成し、音声合成部１１に送出する。音声合成部１１はそのテキストデータから音声信号を発生させる。そして、中央処理装置６は、その音声信号を音声コーデック５へ送出し、音声コーデック５およびスピーカ３を経由して、「音声入力してください」の音声をスピーカ３から使用者に対して発する（図７のステップＳ９２）。
【００６６】
使用者は、スピーカ３から発せられた音声を確認すると、電話を掛けたい通話相手の名前（例えば、「Ｂさん」）をマイク２に音声入力する。これは、携帯電話機１の電話帳テーブルに「Ｂさん」の電話番号が登録されている場合である。電話帳テーブルに登録されていない場合には、通話相手の電話番号「０、１、２・・・」をマイク２に音声入力する。中央処理装置６は、マイク２、音声コーデック５および音声認識部１０を制御して、同様にして音声認識処理を行う（図７のステップＳ９３）。中央処理装置６は、音声認識部１０から「Ｂさん」を認識した結果を受けると、電話帳テーブルを参照して、「Ｂさん」の電話番号を読み出して、携帯電話網に対して発信手順の処理を行う。音声認識部１０から電話番号「０、１、２・・・」を認識した結果を受けた場合には、その電話番号で携帯電話網に対して発信手順の処理を行う（図７のステップＳ９４）。
【００６７】
また、前述したステップＳ２７と同様に、スピーカ３から呼出し音を発し、使用者に対して、呼出し中であることを知らせる（図７のステップＳ９５）。その後、携帯電話網から応答があれば（図７のステップＳ９６）、通話チャネルを設定し（図７のステップＳ９７）、その後、通話処理に入る（図７のステップＳ９８）。
【００６８】
以後の通話処理は、前述の電話着信時の通話処理と同じであり、説明を省略する。
【００６９】
上述したハンズフリー受信時自動起動モードにおける発信動作において、発信までの待受け時は、音声認識部１０と音声合成部１１の電源がオフのため、電力消費を低減することができる。また、発信時は、発信ボタンをオンするだけの操作でハンズフリー動作が起動し、通話相手の氏名や電話番号等を手動入力することなく音声でマンマシンインターフェースが行える。
【００７０】
【発明の効果】
このように、本発明によれば、入力待受け時の電力消費を低減することができると共に、ハンズフリー動作が自動で起動し、通話相手の氏名や電話番号を手動入力操作することなく音声でマンマシンインターフェースが行えるため、利便性が大幅に向上する。
【図面の簡単な説明】
【図１】本発明に関わる第１の実施の形態を示す携帯電話機およびハンズフリー装置から構成されるハンズフリーシステムのブロック図。
【図２】図１に示したハンズフリーシステムの電話着信時の動作を示すシーケンス。
【図３】図１に示したハンズフリーシステムの電話発信時の動作を示すシーケンス。
【図４】図１に示したハンズフリーシステムの携帯電話機の動作を示すフローチャート。
【図５】図１に示したハンズフリーシステムのハンズフリー装置の動作を示すフローチャート。
【図６】本発明に関わる第２の実施の形態を示す携帯電話機のブロック図。
【図７】図６に示した携帯電話機の動作を示すフローチャート。
【符号の説明】
１、３１  携帯電話機
２、２２  マイク
３、２３  スピーカ
４  キー入力部
５、２５  音声コーデック
６、２６  中央処理装置
７、２７  ローカル通信部
８  アンテナ
９  通信部
１０  音声認識部
１１  音声合成部
１２  音声認識合成部電源
１３  ＬＣＤ
１４  電源ライン
１５  電源制御
２４  制御スイッチ
【図１】
2004289710.tif 000003
【図２】
2004289710.tif 000004
【図３】
2004289710.tif 000005
【図４】
2004289710.tif 000006
【図５】
2004289710.tif 000007
【図６】
2004289710.tif 000008
【図７】
2004289710.tif 000009